(57)【要約】【課題】射出成形機から出力された画像データに前記射出成形機の機械識別情報、作業識別情報、および、成形識別情報の内、少なくとも一つを含む射出成形機の画面の画像データの出力方法およびその装置を提供する。【解決手段】画像データ出力装置１７は、識別情報選択手段３０、ファイル名称作成手段３１、ファイル名称設定手段３２、画像データ出力手段３４から構成される。識別情報選択手段３０において、識別情報のうち、出力される画像データ３３のファイル名称に付加される情報が選択され、ファイル名称作成手段３１において、選択された識別情報を含むファイル名称が作成され、ファイル名称設定手段３２において、画面データ３３のファイル名称に前記選択された識別情報を含むファイル名称が設定され、前記画像データ３３は画像データ出力手段３４によって、メモリカード３、プリンタ４、ＬＡＮ５へ出力される。【選択図】図５
2015199249.tif 000002
【特許請求の範囲】
【請求項１】
射出成形機の画面の画像データを出力する画像データ出力方法であって、前記画像データに前記射出成形機の機械識別情報、作業識別情報、および、成形識別情報の内、少なくとも一つから成る識別情報を付加して出力することを特徴とする射出成形機の画面の画像データ出力方法。
【請求項２】
前記画像データをファイルとして出力し、前記出力する画像データのファイル名称の一部に前記識別情報を含むことを特徴とする請求項１に記載の射出成形機の画面の画像データ出力方法。
【請求項３】
前記画像データに付属するデータ領域であるファイル情報に前記識別情報を付加して出力することを特徴とする請求項１に記載の射出成形機の画面の画像データ出力方法。
【請求項４】
前記画面のイメージに前記識別情報のイメージを付加して画像データを生成し、該生成した画像データを出力することを特徴とする請求項１に記載の射出成形機の画面の画像データ出力方法。
【請求項５】
前記機械識別情報は、前記射出成形機の機種を識別する情報、前記射出成形機の機械番号、前記射出成形機で使用されている射出装置を識別する情報、および、前記射出成形機で使用されている周辺装置を識別する情報の内、少なくとも一つを含むことを特徴とする請求項１〜４のいずれか一つに記載の射出成形機の画面の画像データ出力方法。
【請求項６】
前記作業識別情報は、前記射出成形機で作業を行った作業者を識別する情報、前記射出成形機で作業を行った日時、および、前記射出成形機で行われた作業を識別する情報の内、少なくとも一つを含むことを特徴とする請求項１〜４のいずれか一つに記載の射出成形機の画面の画像データ出力方法。
【請求項７】
前記成形識別情報は、前記射出成形機で成形に使用されていた樹脂を識別する情報、前記射出成形機で成形に使用されていた金型を識別する情報、および、前記射出成形機で成形している成形品を識別する情報の内、少なくとも一つを含むことを特徴とする請求項１〜４のいずれか一つに記載の射出成形機の画面の画像データ出力方法。
【請求項８】
射出成形機の画面の画像データを出力する画像データ出力装置であって、画像データに前記射出成形機の機械識別情報、作業識別情報、および、成形識別情報の内、少なくとも一つから成る識別情報を付加して出力する出力手段を備えることを特徴とする射出成形機の画面の画像データ出力装置。
【請求項９】
前記出力手段は、前記画像データをファイルとして出力し、前記出力する画像データのファイル名称の一部に前記識別情報を含ませることを特徴とする請求項８に記載の射出成形機の画面の画像データ出力装置。
【請求項１０】
前記出力手段は、前記画像データに付属するデータ領域であるファイル情報に前記識別情報を付加して出力することを特徴とする請求項８に記載の射出成形機の画面の画像データ出力装置。
【請求項１１】
前記出力手段は、前記画面のイメージに前記識別情報のイメージを付加して画像データを生成し、該生成した画像データを出力することを特徴とする請求項８に記載の射出成形機の画面の画像データ出力装置。
【請求項１２】
前記機械識別情報は、前記射出成形機の機種を識別する情報、前記射出成形機の機械番号、前記射出成形機で使用されている射出装置を識別する情報、および、前記射出成形機で使用されている周辺装置を識別する情報の内、少なくとも一つを含むことを特徴とする請求項８〜１１のいずれか一つに記載の射出成形機の画面の画像データ出力装置。
【請求項１３】
前記作業識別情報は、前記射出成形機で作業を行った作業者を識別する情報、前記射出成形機で作業を行った日時、および、前記射出成形機で行われた作業を識別する情報の内、少なくとも一つを含むことを特徴とする請求項８〜１１のいずれか一つに記載の射出成形機の画面の画像データ出力装置。
【請求項１４】
前記成形識別情報は、前記射出成形機で成形に使用されていた樹脂を識別する情報、前記射出成形機で成形に使用されていた金型を識別する情報、および、前記射出成形機で成形している成形品を識別する情報の内、少なくとも一つを含むことを特徴とする請求項８〜１１のずれか一つに記載の射出成形機の画面の画像データ出力装置。
【発明の詳細な説明】
【技術分野】
【０００１】
本発明は、射出成形機の画面に関し、特に画面の画像データをファイルに出力する出力方法及び装置に関する。
【背景技術】
【０００２】
射出成形機は、型閉じ、型閉め、射出、保圧、計量、型開き、突き出し等の工程によってプラスチック成形品を製造する機械である。前記射出成形機は表示装置を備え、前記表示装置の画面は前述したそれぞれの成形工程の挙動を示す圧力、速度、位置等のデータの表示、成形の設定変更、成形の設定を変更した履歴等を表示する機能を有する。
【０００３】
射出成形工場において、成形データの収集や分析、成形条件、成形履歴等の管理には射出成形機の前記画面の画像データが度々使用される。
【０００４】
特許文献１では、射出成形機の表示画面のイメージデータをビットマップファイルやＪＰＥＧファイル等のファイル形式に変換し、パーソナルコンピュータに読み込ませ、前記パーソナルコンピュータにおいて利用する技術が開示されている。
【０００５】
また、特許文献２では、射出成形機の画面の画像データを、所定のファイル形式のデジタルデータに変換して、射出成形機の制御コントローラの内部に構成された仮想ディスクにファイルとして書き込んでおき、その後、前記ファイルを外部記憶媒体にコピーする射出成形機の画面の画像データ記録方法が開示されている。
【０００６】
他方、特許文献３には、成形品のイメージと、成形機の運転状況や設定値とを同時に表示装置に表示する技術が開示されている。
【先行技術文献】
【特許文献】
【０００７】
【特許文献１】特開２００４−１４８５５２号公報
【特許文献２】特開２０１０−１２５６３３号公報
【特許文献３】特開２００６−１７５６１９号公報
【発明の概要】
【発明が解決しようとする課題】
【０００８】
特許文献１や特許文献２に開示されているように、射出成形機の画面の画像データを記憶しファイルとして出力する技術は公知であるが、出力された画像データには機械情報や作業者を特定する情報が含まれていない。したがって、複数の射出成形機を使用している場合、射出成形機から出力された前記画像データがどの射出成形機から出力された前記画像データなのか分からなくなるという課題が有った。
【０００９】
また、特許文献３に開示される技術では、成形品の画像データに成形機の運転状況、設定値を関連付けて管理することが可能となる。しかしながら、画面の画像データと射出成形機の運転状況とが関連付けられたものではなかった。
【００１０】
そこで、本発明の目的は、上記従来技術の問題点に鑑み、射出成形機の画面の画像データを外部記憶媒体または前記射出成形機にネットワークで接続されたコンピュータ等に出力する際に、前記出力された画像データに前記射出成形機の機械識別情報、作業識別情報、および、成形識別情報の内、少なくとも一つを含む射出成形機の画面の画像データの出力方法およびその装置を提供することである。
【課題を解決するための手段】
【００１１】
本発明の第１の発明は、射出成形機の画面の画像データを外部記憶媒体または前記射出成形機にネットワークで接続されたコンピュータ等に出力する際に、前記出力された画像データに前記射出成形機の機械識別情報、作業識別情報、および、成形識別情報の内、少なくとも一つを含むことにより課題を解決する。  
本発明の第２の発明は、射出成形機の画面の画像データを外部記憶媒体または前記射出成形機にネットワークで接続されたコンピュータ等に出力する際に、前記出力された画像データのファイル名称の一部に、前記射出成形機の機械識別情報、作業識別情報、成形識別情報の内、少なくとも一つを含むことにより課題を解決する。
【００１２】
本発明の第３の発明は、射出成形機械の画面の画像データを外部記憶媒体または前記射出成形機にネットワークで接続されたコンピュータ等に出力する際に、前記画像データに付加され、かつ画像データの名称や画像データの作成日等を記憶するメモリであるファイル情報の一部に前記射出成形機の機械識別情報、作業識別情報、成形識別情報の内、少なくとも一つを追加することによって課題を解決する。
【００１３】
本発明の第４の発明は、射出成形機の画面の画像データを外部記憶媒体に出力、前記射出成形機にネットワークで接続されたコンピュータ等に出力、またはプリンタに印刷する際に、出力される前記画像データのイメージの一部に、前記射出成形機の機械識別情報、作業識別情報、および、成形識別情報の内、少なくとも一つを追加することによって課題を解決する。
【００１４】
前記機械識別情報は、前記射出成形機を識別する情報であって、前記射出成形機の機種を識別する情報、前記射出成形機の機械番号、前記射出成形機の射出装置を識別する情報、および、前記射出成形機で使用されている周辺装置を識別する情報の内、少なくとも一つが含まれる。
【００１５】
前記作業識別情報は、前記射出成形機で行われていた作業を識別する情報であって、前記射出成形機で作業を行った作業者を識別する情報、前記射出成形機の作業を行った日時、前記射出成形機で行われた作業を識別する情報の内、少なくとも一つ以上が含まれる。
【００１６】
前記成形識別情報は、前記射出成形機で行われていた成形を識別する情報であって、前記射出成形機で成形に使用されていた樹脂を識別する情報、前記射出成形機で成形に使用されていた金型を識別する情報、および、前記射出成形機で成形している成形品を識別する情報の内、少なくとも一つが含まれる。
【発明の効果】
【００１７】
本発明により、射出成形機の画面の画像データを外部記憶媒体または前記射出成形機にネットワークで接続されたコンピュータ等に出力する際に、前記出力された画像データに前記射出成形機の機械識別情報、作業識別情報、および、成形識別情報の内、少なくとも一つを含む射出成形機の画面の画像データの出力方法およびその装置を提供できる。
【図面の簡単な説明】
【００１８】
【図１】出力される画像データのファイル名称の例を示す図である。
【図２】出力される画像データのファイル情報を示すプロパティの例を示す図である。
【図３】出力される画像データのイメージの例を示す図である。
【図４】制御装置のブロック図である。
【図５】実施形態１を実現するための画像データ出力装置を示す図である。
【図６】実施形態２を実現するための画像データ出力装置を示す図である。
【図７】実施形態３を実現するための画像データ出力装置を示す図である。
【図８】出力形態・出力先・出力情報選択画面の例を示す図である。
【図９】画像データを出力する場合のフローチャートを示す図である。
【発明を実施するための形態】
【００１９】
以下、本発明の実施形態を図面と共に説明する。特許請求の範囲、および、明細書で使用する用語について説明する。イメージとは、表示装置に描画される画像そのものを意味する。画像データとは、メモリに保存された前記イメージのデータを意味する。また、前記画像データは少なくともイメージのデータを含み、前記ファイル情報を含む場合もある。
【００２０】
以下、本発明の各実施形態を説明する。  
＜実施形態１＞  
図１に出力される画像データのファイル名称の例を示す。図１では作業識別情報Ｂとして前記画像データの出力作業を行った作業日時Ｂ１と作業者名Ｂ２が、機械識別情報Ａとして機械番号Ａ１が含まれたファイル名称の例を示している。  
ファイルの出力先は射出成形機の制御装置に設けられたメモリカードスロットに挿入されるメモリカード等の外部記憶媒体である。また、複数の射出成形機が管理コンピュータにネットワークで接続されている場合、この管理コンピュータ内のハードディスク等の記憶媒体が出力先であっても良い。
【００２１】
＜実施形態２＞  
図２に出力される画像データのプロパティの例を示す。前記プロパティは、画像データに付属するファイル情報を表示するための画面である。図２では作業識別情報Ｂとして前記画像データの出力作業を行った作業日時Ｂ１と作業者名Ｂ２が、機械識別情報Ａとして機械番号Ａ１が含まれた前記画像データのプロパティの例を示している。  
ファイルの出力先は射出成形機の制御装置に設けられたメモリカードスロットに挿入されるメモリカード等の外部記憶媒体である。また、複数の射出成形機が管理コンピュータにネットワークで接続されている場合、この管理コンピュータ内のハードディスク等の記憶媒体が出力先であっても良い。
【００２２】
＜実施形態３＞
図３に出力される画像データのイメージの例を示す。図３に示されるように表示装置の表示画面は、画面の画像データ部１と識別情報部２とから構成される。図３では作業識別情報Ｂとして画像データの出力作業を行った作業日時Ｂ１と作業者名Ｂ２が、機械識別情報Ａとして機械番号Ａ１が、射出成形機の前記画面の前記イメージの上部に追加された例を示している。追加する前記情報は図３のように、前記イメージの外側に追加しても良いし、前記イメージの一部に上書きして追加しても良い。
【００２３】
ファイルの出力先は射出成形機の制御装置に設けられたメモリカードスロットに挿入されるメモリカード等の外部記憶媒体である。また、複数の射出成形機が管理コンピュータにネットワークで接続されている場合、この管理コンピュータ内のハードディスク等の記憶媒体が出力先であっても良い。または、前記射出成形機がプリンタに接続されている場合は前記プリンタが出力先であっても良い。
【００２４】
次に、機械識別情報Ａ、作業識別情報Ｂ、成形識別情報Ｃを説明する。  
（機械識別情報Ａの例）  
機械識別情報Ａの例を以下に記載する。  
射出成形機の機種を識別する情報である機械識別情報Ａとは、例えば射出成形機メーカが名付けた機種名称や、射出成形機を使用するユーザがその射出成形機に名付けた機械名称である。あるいは、射出成形機の機械番号Ａ１である。射出成形機の機械番号Ａ１は、例えば射出成形機を使用するユーザが射出成形機毎に付けた番号や記号である。射出成形機は射出装置と型締装置を備えている。ここで、射出成形機の射出装置を識別する情報とは、例えば射出スクリュのスクリュ径や射出体積等の情報である。
【００２５】
また、成形作業を円滑に行うため、射出成形機には周辺機器が使用される。射出成形機で使用されている周辺機器は、例えば成形品を取り出す取出装置や監視カメラである。これらの周辺機器にも射出成形機と同様に、機種名称、機械名称、あるいは、機械番号が付与されている。これらの周辺機器の機種を識別する情報も含めて機械識別情報Ａとして扱う。
【００２６】
以上の機械識別情報Ａは、例えば機種名称やスクリュ径のように、その情報があらかじめ射出成形機の制御装置内のデータ保存用メモリに記憶されている場合、その情報をメモリから呼び出して出力しても良いし、射出成形機の前記画面で作業者が入力した情報を出力しても良い。
【００２７】
（作業識別情報Ｂ）  
作業識別情報Ｂの例を以下に記載する。  
作業識別情報Ｂは、作業者を識別する情報や作業を識別する情報がある。作業者を識別する情報Ｂとは、作業者の氏名（作業者名Ｂ２）やＩＤである。作業を行った作業日時Ｂ１とは、例えば成形を開始した日時等の任意の成形作業を行った日時や、前記画像データを出力した日時である。作業を識別する情報とは、例えば自動運転、手動運転、樹脂の排出等の射出成形機の運転モードおよび成形段取り作業や不具合修正作業などの作業である。
【００２８】
以上の作業識別情報Ｂは、例えば、前記画像データを出力した日時のように射出成形機の制御装置の時計から取得できるような情報や、射出成形機の運転モードのように射出成形機の運転状態から取得できる情報は、その情報を自動的に呼び出して出力しても良いし、射出成形機の前記画面で作業者が入力した情報を出力しても良い。
【００２９】
（成形識別情報Ｃ）
成形識別情報Ｃの例を以下に記載する。成形識別情報Ｃは、樹脂を識別する情報、金型を識別する情報、成形品を識別する情報がある。樹脂を識別する情報とは、例えば樹脂名称や樹脂グレードである。金型を識別する情報とは、例えば金型の名称やキャビティ数などの金型に関する情報である。成形品を識別する情報とは、例えば成形品の名称や成形品の図番である。成形品に不良が発生している場合には、さらに不良品であることを識別する情報を付加しても良い。
【００３０】
以上の成形識別情報Ｃは、例えば金型や成形品の名称のように、その情報があらかじめ射出成形機の制御装置内のデータ保持用メモリに記憶されている場合には、その情報をメモリから呼び出して出力しても良いし、射出成形機の前記画面で作業者が入力した情報を出力しても良い。
【００３１】
次に、射出成形機の画面の画像データの出力装置を説明する。射出成形機（図示せず）の制御装置１０の構成を図４に示す。制御装置１０は主に表示装置１１、表示制御手段１２、ＣＰＵ１４、ＲＯＭ１５、ＲＡＭ１６、画像データ出力装置１７、データ保存用メモリ１８ａから構成される。表示制御手段１２は画面イメージ記憶装置１３ａに格納された画面イメージ１３を用いて表示装置１１に各種表示を行う。
【００３２】
ＣＰＵ１４は射出成形機の全体を制御するプロセッサであり、ＲＯＭ１５には各種制御用プログラムが格納されている。また、ＲＡＭ１６は一時的なデータの記憶手段として用いられる。ＣＰＵ１４はサーボアンプ２１を介してモータ２０を駆動制御する。成形サイクルを実行するために必要なデータ１８はデータ保存用メモリ１８ａに格納されている。データ保存用メモリ１８ａに格納されているデータとして、機械識別情報Ａ，作業識別情報Ｂ，成形識別情報Ｃを含む。
【００３３】
画像データ出力装置１７は、実施形態１〜３で示される画像データをメモリカード３、または、プリンタ４、または、ＬＡＮ５に出力する手段である。
【００３４】
このうち、画像データ出力装置１７について詳述する。図５、図６、図７に画像データ出力装置の構成を示す。
【００３５】
（実施形態１を実現するための画像データ出力装置）
図５に示される前記画像データ出力装置１７は、識別情報選択手段３０、ファイル名称作成手段３１、ファイル名称設定手段３２、画像データ出力手段３４から構成される。前記識別情報とは、機械識別情報Ａ、作業識別情報Ｂ、成形識別情報Ｃの内、少なくとも一つから成る。また、図５に示す画像データ出力装置１７において、前記識別情報は、画像データに付加されているファイル情報（図２参照）のうち、ファイル名称（図１参照）に含まれる。
【００３６】
識別情報選択手段３０において、前記識別情報（機械識別情報Ａ，作業識別情報Ｂ，成形識別情報Ｃ）のうち、出力される画像データ３３のファイル名称に付加される情報が選択される。次に、ファイル名称作成手段３１において、選択された識別情報を含むファイル名称が作成される。ファイル名称設定手段３２において、画像データ３３のファイル名称に前記選択された識別情報を含むファイル名称が設定される。
【００３７】
そして、前記画像データ３３は画像データ出力手段３４によって出力される。ここで、出力とは、例えばメモリカード３等の外部記憶媒体への出力、プリンタ４への出力、ネットワーク等通信回路（ＬＡＮ５）への出力等を意味する。
【００３８】
（実施形態２を実現するための画像データ出力装置）  
図６に示される画像データ出力装置１７は、識別情報選択手段４０、ファイル情報作成手段４１、画面イメージ・ファイル情報結合手段４３、画像データ出力手段４５から構成される。また、図６に示す画像データ出力装置１７において、選択された識別情報は画像データに付加されるファイル情報のうち、ファイル名称以外の任意のデータ領域に含まれる。
【００３９】
識別情報選択手段４０において、前記識別情報のうち、出力される画像データ４４のファイル情報に付加される情報が選択される。次に、ファイル情報作成手段４１において、選択された識別情報を含むファイル情報４２が作成される。前記ファイル情報４２は画面イメージ・ファイル情報結合手段４３において、画面イメージ１３と結合され、画像データ４４が生成される。そして、前記画像データ４４は画像データ出力手段４５によってメモリカード３、プリンタ４、ＬＡＮ５に出力される。
【００４０】
（実施形態３を実現するための画像データ出力装置）
図７は第４の発明を実現するための画像データ出力装置である。前記画像データ出力装置１７は識別情報選択手段５０、イメージデータ変換手段５１、イメージ結合手段５３、画像データ出力手段５５から構成される。また、図７に示す画像データ出力装置５５において、選択された識別情報は画像データ５４のイメージデータに含まれる。識別情報選択手段５０において、前記識別情報のうち、出力される画像データ５４のイメージに付加される情報が選択される。次に、イメージデータ変換手段５１において、選択された識別情報がイメージデータ５２に変換され、イメージデータ５２が生成される。イメージ結合手段５３において、前記イメージデータ５２と画面イメージ１３が合成される。合成された画面イメージの画像データ５４は、画像データ出力手段５５からメモリカード３、プリンタ４、または、ＬＡＮ５に出力される。
【００４１】
次に、本発明の実施形態１〜３において、射出成形機の前記画面の前記画像データを出力する手順を図８の画面例と図９のフローチャートを用いて説明する。
（ｓａ０１）
最初に、作業者は出力したい前記画面を射出成形機の前記画面の中から選択し、射出成形機の前記画面上に表示させる。
（ｓａ０２）
そして射出成形機の操作パネル上の出力形態・出力先・出力情報選択画面表示スイッチを押すと、図８に示す画面が表示される。
【００４２】
（ｓａ０３）
作業者はこの画面上で、第２の画像データ出力形態として、出力される前記画像データのファイル名称の一部に前記識別情報を含めるのか、第３の出力される画像データの出力形態として、前記画像データに付属するデータ領域に前記識別情報を含めるのか、第４の画像データ出力形態として、出力される画像データのイメージの一部に前記識別情報を追加するのか、前記三つの出力形態から少なくとも一つを選択する。また、前記画像データの出力先として、射出成形機の制御装置に設けられたメモリカードスロットに挿入されるメモリカード等の外部記憶媒体、射出成形機にネットワークで接続された管理コンピュータの記憶媒体、プリンタのいずれかを選択する。ここでプリンタが選択された場合には、画像データは紙であるので、前記の第２、第３の画像データ出力形態は適用されない。  
さらに、出力情報として、射出成形機の前記識別情報の中から出力したい情報を選択するとともに出力する内容を入力する。図８には具体的に作業日時、機械番号、作業者の氏名、スクリュ径等について、「出力する／しない」の選択欄およびそれぞれの出力項目の内容を入力する入力欄が図示されている。
【００４３】
（ｓａ０４）
最後に画面上の「画像データ出力」ボタンを押すと、ステップｓａ０５へ移行し、ボタンが押されないと処理を終了する。
（ｓａ０５）
前記出力情報を含む画像データが、選択された出力形態で、選択された出力先に出力される。
【００４４】
画像データのファイルが複数ある場合、複数の画像データのファイル名称やファイル情報を一覧表示する、あるいは複数の画像データのイメージを一覧表示することで、複数の画像データの中から所望の画像データを探し出すことが容易になり、画像データの管理工数の削減につながる。
【００４５】
本発明により、射出成形機の画面の画像データを出力する際、画像データに識別情報が付加されるため、その画像データに関連した情報を同時に知ることが可能になる。  
画像データのファイル名称の一部に識別情報を含めることで画像データのファイル名称からその画像データに関連した情報を同時に知ることが可能になる。  
画像データのファイル情報の一部に識別情報を付加することで画像データのファイル情報からその画像データに関連した情報を同時に知ることが可能になる。  
画面のイメージに識別情報のイメージを付加することでその画面イメージを見てその画面イメージに関連した情報を同時に知ることが可能になる。
【００４６】
本発明により、射出成形機の画面の画像データを外部記憶媒体または前記射出成形機にネットワークで接続されたコンピュータ等に出力する際に、前記出力された画像データに前記射出成形機の機械識別情報、作業識別情報、および、成形識別情報の内、少なくとも一つを含む射出成形機の画面の画像データの出力方法およびその装置を提供できる。
【００４７】
射出成形機の画面の画像データを出力する際、画像データに識別情報が付加されるため、その画像データに関連した情報を同時に知ることが可能になる。画像データのファイル名称の一部に識別情報を含めることで画像データのファイル名称からその画像データに関連した情報を同時に知ることが可能になる。画像データのファイル情報の一部に識別情報を付加することで画像データのファイル情報からその画像データに関連した情報を同時に知ることが可能になる。画面のイメージに識別情報のイメージを付加することでその画面イメージを見てその画面イメージに関連した情報を同時に知ることが可能になる。
【符号の説明】
【００４８】
１  画面の画像データ部
２  識別情報部
３  メモリカード
４  プリンタ
５  ＬＡＮ
１０  制御装置
１１  表示装置
１２  表示制御手段
１３ａ  画面イメージ記憶装置
１３  画面イメージ
１４  ＣＰＵ
１５  ＲＯＭ
１６  ＲＡＭ
１７  画像データ出力装置
１８ａ  データ保存用メモリ
１８  データ
１９  バス
２０  モータ
２１  サーボアンプ
３０  識別情報選択手段
３１  ファイル名称作成手段
３２  ファイル名称設定手段
３３  画像データ
３４  画像データ出力手段
４０  識別情報選択手段
４１  ファイル情報作成手段
４２  ファイル情報
４３  画面イメージ・ファイル情報結合手段
４４  画像データ
４５  画像データ出力手段
５０  識別情報選択手段
５１  イメージデータ変換手段
５２  イメージデータ
５３  イメージ結合手段
５４  画像データ
５５  画像データ出力手段
Ａ  機械識別情報
Ａ１  機械番号
Ｂ  作業識別情報
Ｂ１  作業日時
Ｂ２  作業者名
Ｃ  成形識別情報
【図１】
2015199249.tif 000003
【図４】
2015199249.tif 000004
【図８】
2015199249.tif 000005
【図９】
2015199249.tif 000006
【図２】
2015199249.tif 000007
【図３】
2015199249.tif 000008
【図５】
2015199249.tif 000009
【図６】
2015199249.tif 000010
【図７】
2015199249.tif 000011